(57)【要約】【課題】  インターネットを用いて画像データを販売する販売者には、その画像データの販売よる対価が支払われるが、その画像データの被写体であるモデルは、その画像データを販売よる対価を直接受け取ることができないという課題があった。【解決手段】  本発明の画像販売システム１００は、画像に対応する画像データを記憶する画像データ記憶領域２１０と、前記画像データの価格を記憶する価格記憶領域２２０と、前記画像に記録されている被写体に対する還元率を記憶する還元率記憶領域２４０と、前記画像中の前記被写体への分配率を記憶する分配率記憶領域２３０と、前記画像データが販売された際に、前記価格、前記還元率、および前記被写体の分配率に基づき還元ポイントを演算する演算部３００と、還元ポイントを記憶する還元ポイント記憶領域２５０とを備えている。【選択図】図２
2017204149.tif 000002
【特許請求の範囲】
【請求項１】
画像に対応する画像データを記憶する画像データ記憶領域と、
前記画像データの価格を記憶する価格記憶領域と、
前記画像に記録されている被写体に対する還元率を記憶する還元率記憶領域と、
前記画像中の前記被写体への分配率を記憶する分配率記憶領域と、
前記画像データが販売された際に、前記価格、前記還元率、および前記被写体の分配率に基づいて還元ポイントを演算する演算部と、
還元ポイントを記憶する還元ポイント記憶領域とを備え、
前記演算部が、前記還元ポイント記憶領域に記憶されている還元ポイントと前記演算された還元ポイントとの和を演算する、画像販売システム。
【請求項２】
前記画像に関する画像情報を記憶する画像情報記憶領域を備え、
前記演算部が、前記画像情報に基づき前記画像データをソート可能な請求項１に記載の画像販売システム。
【請求項３】
前記被写体の電子メールアドレスを記憶する個人情報記憶領域を備え、
前記演算部は、前記画像データが販売されると、前記被写体が写っている画像に対応する前記画像データが販売されたことを知らせる電子メールを前記被写体に送信する請求項１または２に記載の画像販売システム。
【請求項４】
前記電子メールには前記被写体が情報端末を使用してアクセスすることができるＵＲＬが記載されており、
前記演算部は、前記情報端末から前記ＵＲＬにアクセスがあると、前記還元ポイント記憶領域に記憶されている還元ポイントを前記情報端末に提示し、
前記演算部が、前記情報端末から前記還元ポイントの引き出し命令を受け取ると、前記還元ポイントから引き出しポイントを減じ、減じた還元ポイントを前記還元ポイント記憶領域に記憶させ、
前記演算部が、前記引き出しポイントを出力する請求項１〜３のうちの１つに記載の画像販売システム。
【請求項５】
前記演算部が、前記画像情報記憶領域の中から画像情報が記憶されていない採番を読み出し、
前記演算部が、前記採番に対応する前記見本画像データ、前記画像情報を登録するための複数のチェック・ボックス、被写体を選択するための選択領域および前記被写体に対する分配率を入力するための入力領域を表示装置に表示させ、
前記演算部が入力終了の信号を受け取ったときに、選択された前記見本画像データに対応する画像、選択されたチェック・ボックス、選択された被写体、入力された分配率を認識し、
前記演算部が、前記採番と前記被写体に対応する個人番号とに基づき前記分配率を前記分配率記憶領域に記憶させ、
前記演算部が、前記採番に基づき前記画像情報を前記画像情報記憶領域に記憶させる、請求項２〜４のうちの１つに記載の画像販売システム。
【請求項６】
画像の採番および前記画像のサイズを受け取るステップと、
価格記憶領域から前記採番および前記サイズに対応する価格を呼び出すステップと、
分配率記憶領域から前記採番に対応する個人番号および分配率を呼び出すステップと、
還元率記憶領域から前記個人番号に対応する還元率を呼び出すステップと、
前記価格、前記分配率、前記還元率に基づき還元ポイントを演算するステップと、
還元ポイント記憶領域から前記個人番号に対応する還元ポイントを呼び出すステップと、
前記呼び出された還元ポイントと前記演算された還元ポイントとの和を演算するステップと、
前記和を前記個人番号に対応する還元ポイント記憶領域に記憶するステップとを、コンピュータに実行させる画像販売プログラム。
【請求項７】
個人情報記憶領域から、前記個人番号に対応する電子メールアドレスを呼び出すステップと、
前記電子メールアドレスに、前記画像が販売されたことを示す情報を有する電子メールを送信するステップを、コンピュータに実行させる請求項６に記載の画像販売プログラム。
【請求項８】
少なくとも１つの見本画像データに対応する画像、画像情報を登録するための複数のチェック・ボックス、前記少なくとも１つの見本画像データに対応する画像に写っている被写体の名を選択するための選択領域および前記被写体の分配率を入力するための入力領域を表示装置に表示させるステップと、
入力終了の信号を受け取ったときに、選択された画像に対応する見本画像データ、選択されたチェック・ボックスに対応する画像情報、選択された被写体の名、入力された分配率を認識するステップと、
採番と前記被写体に対応する個人番号とに基づき前記分配率を分配率記憶領域に記憶させるステップと、
前記採番に基づき前記画像情報を画像情報記憶領域に記憶させるステップとをコンピュータに実行させる、画像販売プログラム。
【請求項９】
少なくとも１つの見本画像データに対応する画像、画像情報を登録するための複数のチェック・ボックス、前記少なくとも１つの見本画像データに対応する画像に写っている被写体の名を選択するための選択領域および前記被写体の分配率を入力するための入力領域を表示装置に表示させるステップと、
入力終了の信号を受け取ったときに、選択された画像に対応する見本画像データ、選択されたチェック・ボックスに対応する画像情報、選択された被写体の名、入力された分配率を認識するステップと、
採番と前記被写体に対応する個人番号とに基づき前記分配率を分配率記憶領域に記憶させるステップと、
前記採番に基づき前記画像情報を画像情報記憶領域に記憶させるステップとを包含する、画像販売方法。
【請求項１０】
オペレータが、被写体の画像データと見本画像データをコンピュータに入力するステップと、
オペレータが、前記画像データ、前記画像データの価格、前記被写体の個人情報および画像情報、前記被写体の還元率、前記被写体の分配率を前記コンピュータに入力するステップと、
前記コンピュータが、購入者からの命令に従い、前記見本画像データおよび前記価格を通信回線を通じて前記購入者の情報端末に送信するステップと、
前記コンピュータが、前記購入者から前記画像データを購入する購入信号を受信すると、前記購入者との間で代金支払い処理するステップと、
前記画像データの代金の支払いが確認されると、前記コンピュータが、前記価格、前記還元率、および前記各被写体の分配率に基づき還元ポイントを演算するステップと、
前記コンピュータが、従前の還元ポイントと前記演算された還元ポイントとの和を演算するステップとを包含する、画像販売方法。
【請求項１１】
画像に対応する画像データを記憶し、前記画像中の前記被写体への分配率を記憶し、前記被写体への決められた還元ポイントを記憶し、還元ポイントを記憶する記憶部と、
前記画像データが販売された際に、前記被写体への決められた還元ポイントおよび前記被写体の分配率に基づいて還元ポイントを演算する演算部とを備えた、画像販売システム。
【発明の詳細な説明】
【技術分野】
【０００１】
通信回線を通じて、画像データを販売する画像販売システム、画像販売方法およびそのプログラムに関する。
【背景技術】
【０００２】
販売者が、動画、写真、音楽等のデジタルコンテンツを取引システムにアップロードし、アップロードされたコンテンツを購入者が購入すると、手数料を差し引いた金額が販売者に支払われる取引システムが知られている（特許文献１）。
【先行技術文献】
【特許文献】
【０００３】
【特許文献１】特開２００７−７２９１２号公報
【発明の概要】
【発明が解決しようとする課題】
【０００４】
このような取引システムでは、コンテンツが写真であり、その写真に写る被写体がモデルである場合、その写真の販売者には、その写真の販売よる対価が支払われるが、その写真の被写体であるモデルは、その写真の販売よる対価を直接受け取ることができないという課題があった。
【課題を解決するための手段】
【０００５】
本発明に係る画像販売システムは、画像に対応する画像データを記憶する画像データ記憶領域と、前記画像データの価格を記憶する価格記憶領域と、前記画像に記録されている被写体に対する還元率を記憶する還元率記憶領域と、前記画像中の前記被写体への分配率を記憶する分配率記憶領域と、前記画像データが販売された際に、前記価格、前記還元率、および前記被写体の分配率に基づき還元ポイントを演算する演算部と、還元ポイントを記憶する還元ポイント記憶領域とを備え、前記演算部が、前記還元ポイント記憶領域に記憶されている還元ポイントと前記演算された還元ポイントとの和を演算する。本発明に係る他の画像販売システムは、画像に対応する画像データを記憶し、前記画像中の前記被写体への分配率を記憶し、前記被写体への決められた還元ポイントを記憶し、還元ポイントを記憶する記憶部と、前記画像データが販売された際に、前記被写体への決められた還元ポイントおよび前記被写体の分配率に基づいて還元ポイントを演算する演算部とを備え、
前記演算部が、前記記憶部に記憶されている還元ポイントと前記演算された還元ポイントとの和を演算する。
【０００６】
本発明のある実施形態では、前記画像に関する画像情報を記憶する画像情報記憶領域を備え、前記演算部が、前記画像情報に基づき前記画像データをソート可能であってもよい。
【０００７】
本発明のある実施形態では、前記被写体の氏名および電子メールアドレスを記憶する個人情報記憶領域を備え、前記演算部は、前記画像データが販売されると、前記被写体が記録されている前記画像データが販売されたことを知らせる電子メールを前記被写体に送信してもよい。
【０００８】
本発明のある実施形態では、前記電子メールには前記被写体がアクセスすることができるＵＲＬが記載されており、前記演算部は、前記ＵＲＬにアクセスがあると、前記還元ポイント記憶領域に記憶されている還元ポイントを前記被写体に提示し、前記演算部が、前記被写体から前記還元ポイントの引き出し命令を受け取ると、前記還元ポイントから引き出しポイントを減じ、減じた還元ポイントを前記還元ポイント記憶領域に記憶させ、前記演算部が、前記引き出しポイントを出力してもよい。
【０００９】
本発明のある実施形態では、前記演算部が、前記画像情報記憶装置の中から画像情報が記憶されていない採番を読み出し、前記演算部が、前記採番に対応する前記見本画像データ、前記画像情報を登録するための複数のチェック・ボックス、モデル名を選択するための選択領域および分配率を入力するための入力領域を表示装置に表示させ、前記演算部が入力終了の信号を受け取ったときに、選択された前記見本画像データに対応する画像、選択されたチェック・ボックス、選択されたモデル名、入力された分配率を認識し、前記演算部が、前記採番と前記モデル名に対応する個人番号とに基づき前記分配率を前記分配率記憶領域に記憶させ、前記演算部が、前記採番に基づき前記画像情報を前記画像情報記憶領域に記憶させてもよい。
【００１０】
本発明に係る画像販売プログラムは、画像の採番および前記画像のサイズを受信するステップと、価格記憶領域から前記採番および前記サイズに対応する価格を呼び出すステップと、分配率記憶領域から前記採番に対応する個人番号および分配率を呼び出すステップと、還元率記憶領域から前記個人番号に対応する還元率を呼び出すステップと、前記価格、前記分配率、前記還元率に基づき還元ポイントを演算するステップと、還元ポイント記憶領域から前記個人番号に対応する還元ポイントを呼び出すステップと、前記呼び出された還元ポイントと前記演算された還元ポイントとの和を演算するステップと、前記和を前記個人番号に対応する還元ポイント記憶領域に記憶するステップとをコンピュータに実行させる。
【００１１】
本発明に係る別の実施形態では、個人情報記憶領域から、前記個人番号に対応する電子メールアドレスを呼び出すステップと、前記電子メールアドレスに、前記画像が販売されたことを示す情報を有する電子メールを送信するステップとを包含してもよい。
【００１２】
本発明に係る別の画像販売プログラムは、画像情報記憶装置の中から画像情報が記憶されていない少なくとも１つの見本画像データとそれに対応する採番を読み出すステップと、前記少なくとも１つの見本画像データに対応する画像、前記画像情報を登録するための複数のチェック・ボックス、前記少なくとも１つの見本画像データに対応する画像に写っている被写体の名を選択するための選択領域および前記被写体の分配率を入力するための入力領域を表示装置に表示させるステップと、入力終了の信号を受け取ったときに、選択された画像に対応する見本画像データ、選択されたチェック・ボックスに対応する画像情報、選択された被写体の名、入力された分配率を認識するステップと、前記採番と前記被写体に対応する個人番号とに基づき前記分配率を前記分配率記憶領域に記憶させるステップと、前記採番に基づき前記画像情報を前記画像情報記憶領域に記憶させるステップをコンピュータに実行させる。本発明に係る別の画像販売方法は、画像情報記憶装置の中から画像情報が記憶されていない少なくとも１つの見本画像データとそれに対応する採番を読み出すステップと、前記少なくとも１つの見本画像データに対応する画像、前記画像情報を登録するための複数のチェック・ボックス、前記少なくとも１つの見本画像データに対応する画像に写っている被写体の名を選択するための選択領域および前記被写体の分配率を入力するための入力領域を表示装置に表示させるステップと、入力終了の信号を受け取ったときに、選択された画像に対応する見本画像データ、選択されたチェック・ボックスに対応する画像情報、選択された被写体の名、入力された分配率を認識するステップと、前記採番と前記被写体に対応する個人番号とに基づき前記分配率を前記分配率記憶領域に記憶させるステップと、前記採番に基づき前記画像情報を前記画像情報記憶領域に記憶させるステップとを包含する。
【００１３】
本発明に係るさらに別の画像販売方法は、オペレータが、被写体の画像データと見本画像データをコンピュータに入力するステップと、オペレータが、前記画像データ、前記画像データの価格、前記被写体の個人情報および画像情報、前記被写体の還元率、前記被写体の分配率を前記コンピュータに入力するステップと、前記コンピュータが、購入者からの命令に従い、前記見本画像データおよび前記価格を通信回線を通じて前記購入者の情報端末に送信するステップと、前記コンピュータが、前記購入者から前記画像データを購入する購入信号を受信すると、前記購入者との間で代金支払い処理するステップと、前記画像データの代金の支払いが確認されると、前記コンピュータが、前記価格、前記還元率、および前記各被写体の分配率に基づき還元ポイントを演算するステップと、前記コンピュータが、従前の還元ポイントと前記演算された還元ポイントとの和を演算するステップとを包含する。画像販売方法。
【発明の効果】
【００１４】
本発明に係る画像販売システムは、演算部が価格、還元率、および被写体の分配率に基づき還元ポイントを演算することができる。また、本発明に係る他の画像販売システムは、被写体への決められた還元ポイントおよび前記被写体の分配率に基づいて還元ポイントを演算することができる。これにより、画像データが販売されると被写体に対して還元ポイントを提供できる。このため、本発明に係る画像販売システムの運営者は、被写体がモデルの場合、モデルのモチベーションをアップさせることにより、良い表情の画像を得ることができ、画像データの売上アップが期待される。
【００１５】
また、被写体は、画像中の小物、動物、車、および場所であってもよく、それらの所有者に対しても、還元ポイントを提供できる。このようなコンテンツビジネスの場合、コンテンツの量が多くないと、ビジネスとして成り立たない。しかし、当初から膨大なコンテンツを集めようとすると、初期投資が膨大になる。
【００１６】
本発明に係る画像販売システムを用いると、イニシャルでの支払いだけではなく、ランニングでの支払いが可能となり、モデルの出演料、撮影スタジオ等の初期費用を押さえることができ、初期投資を低く抑え、スムーズにビジネスの初期の立ち上げを行うことができる。
【００１７】
本発明のある実施形態では、画像情報に基づき画像データをソートすることが可能である。このため、画像データの購入者は、多くの画像の中から必要な画像を絞り込むことができ、快適に画像データを購入することができる。
【００１８】
本発明のある実施形態では、被写体は、自己が写っている画像の画像データが販売されたことを電子メールにて知ることができる。このため、還元ポイントを現金に換金することを忘れるということが起きない。
【００１９】
本発明のある実施形態では、被写体は、ＵＲＬにアクセスし、ウエブ上で還元ポイントを引き出す手続きをとることができる。このため、被写体は、営業時間外であっても、還元ポイントを引き出す手続きをとることができ、時間に拘束されないというメリットがある。また、電子メールにアクセスすべきＵＲＬが記載されているため、被写体は、記載されているＵＲＬをマウス等でクリックすることにより、そのホームページに移動でき、ＵＲＬを打ち込む必要がない。
【００２０】
本発明のある実施形態では、表示装置に採番に対応する見本画像データ、画像情報を登録するための複数のチェック・ボックス、モデル名を選択するための選択領域および分配率を入力するための入力領域が表示されるため、オペレータは、それらを見ながら、画像情報を入力することができる。
【００２１】
また、モデル名については、予め登録されているため、誤ったモデル名を画像販売システムに入力し、二重登録が生じることがない。また、モデル名を選択するだけであるため、モデル名を直接入力するものに比べて、作業効率を上げることができる。
【００２２】
また、複数の見本画像データに対応する画像を選択することができるため、同じモデルについて同じような画像であれば、それらの画像に対応する複数の採番に対して、まとめて、画像情報、分配率を入力することができる。
【００２３】
本発明に係る画像販売プログラムをコンピュータで実行させると、演算部が価格、還元率、および被写体の分配率に基づき還元ポイントを演算することができる。これにより、画像データが販売されると被写体に対して還元ポイントを提供できる。このため、本発明に係る画像販売プログラムの利用者は、被写体がモデルの場合、モデルのモチベーションのアップにつながり、良い表情の画像を得ることができ、画像データの売上アップが期待される。
【００２４】
また、被写体は、画像中の小物、動物、車、および場所であってもよく、それらの所有者に対しても、還元ポイントを提供できる。このようなコンテンツビジネスの場合、コンテンツの量が多くないと、ビジネスとして成り立たない。しかし、当初から膨大なコンテンツを集めようとすると、初期投資が膨大になる。
【００２５】
本発明に係る画像販売プログラムの利用者は、イニシャルでの支払いだけではなく、ランニングでの支払いが可能となり、モデルの出演料、撮影スタジオ等の初期費用を押さえることができ、初期投資を低く抑え、スムーズにビジネスの初期の立ち上げを行うことができる。
【００２６】
本発明に係る別の実施形態の利用者は、画像が販売されたことを電子メールが伝えるため、モデル等に対して電話等で画像データが販売された旨を伝える必要がない。
【００２７】
本発明に係る画像販売プログラムをコンピュータで実行させると、表示装置に採番に対応する見本画像データ、画像情報を登録するための複数のチェック・ボックス、モデル名を選択するための選択領域および分配率を入力するための入力領域が表示されるため、オペレータは、それらを見ながら、画像情報を入力することができる。
【００２８】
また、本発明に係る画像販売プログラムの利用者は、モデル名については、予め登録されているため、誤ったモデル名をコンピュータに入力し、二重登録が生じることがない。また、本発明に係る画像販売プログラムの利用者は、モデル名を選択するだけであるため、モデル名を直接入力するものに比べて、作業効率を上げることができる。
【００２９】
また、本発明に係る画像販売プログラムの利用者は、複数の見本画像データに対応する画像を選択することができるため、同じモデルについて同じような画像であれば、それらの画像に対応する複数の採番に対して、まとめて、画像情報、分配率を入力することができる。
【００３０】
本発明に係る画像販売方法では、コンピュータが、前記価格、前記還元率、および前記各被写体の分配率に基づき還元ポイントを演算する。これにより、画像データが販売されると被写体に対して還元ポイントを提供できる。このため、本発明に係る画像販売方法は、被写体がモデルの場合、モデルのモチベーションをアップさせることにより、良い表情の画像を得ることができ、画像データの売上アップが期待される。
【００３１】
また、被写体は、画像中の小物、動物、車、および場所であってもよく、それらの所有者に対しても、還元ポイントを提供できる。このようなコンテンツビジネスの場合、コンテンツの量が多くないと、ビジネスとして成り立たない。しかし、当初から膨大なコンテンツを集めようとすると、初期投資が膨大になる。
【００３２】
本発明に係る画像販売方法を用いると、イニシャルでの支払いだけではなく、ランニングでの支払いが可能となり、モデルの出演料、撮影スタジオ等の初期費用を押さえることができ、初期投資を低く抑え、スムーズにビジネスの初期の立ち上げを行うことができる。
【図面の簡単な説明】
【００３３】
【図１】図１は、本発明における画像データを販売する画像販売方法の一例を示す図である。
【図２】図２は、本発明における画像データを販売する画像販売システム１００の一例を示す図である。
【図３】（ａ）は画像データ記憶領域２１０のデータテーブルの一例を示す図であり、（ｂ）は価格記憶領域２２０のデータテーブルの一例を示す図であり、（ｃ）は分配率記憶領域２３０のデータテーブルの一例を示す図であり、（ｄ）は還元率記憶領域２４０のデータテーブルの一例を示す図であり、（ｅ）は還元ポイント記憶領域２５０のデータテーブルの一例を示す図であり、（ｆ）は個人情報記憶領域２６０のデータテーブルの一例を示す図である。
【図４】図４は、演算装置３００が行う還元ポイントの演算フローの一例を示している。
【図５】図５は、情報端末に表示される確認画面の一例を示す図である。
【図６】図６は、情報端末に表示される換金画面の一例を示す図である。
【図７】図７は、本発明における画像データを販売する画像販売システム５００の一例を示す図である。
【図８】図８は、画像情報記憶領域６７０のデータテーブルの一例を示す図である。
【図９】図９は、オペレータが画像情報を登録するために使用する表示装置９００に表示される画面の一例を示す図である。
【図１０】図１０は、本発明における画像情報の登録方法の一例を示す図である。
【図１１】図１１は、画像データの売上履歴の記憶テーブルの一例を示している。
【発明を実施するための形態】
【００３４】
以下に、図面を参照しながら本発明の画像データを販売する、画像販売方法、画像販売システムおよびそのプログラムについて説明する。
【００３５】
図１は、本発明における画像データを販売する画像販売方法の一例を示す図である。
【００３６】
ホスト・コンピュータ１０は、デジタルカメラ２０により被写体３０を撮影した画像データ２１およびそれより解像度の低い見本画像データ２２を受け取る。なお、ホスト・コンピュータ１０は、見本画像データ２２を受け取る代わりに、受け取った画像データ２１から見本画像データ２２を生成してもよい。
【００３７】
購入者が情報端末４０を介して検索し、購入者の指示に従い情報端末４０が見本画像データをホスト・コンピュータ１０に要求する信号４１を送信すると、ホスト・コンピュータ１０は購入者の情報端末４０に見本画像データ１１を送信し、情報端末４０の表示装置は見本画像データ１１に対応する画像４３が表示される。
【００３８】
購入者が情報端末４０を介して、被写体３０の写る画像データの購入をホスト・コンピュータ１０に求める信号４２を送信すると、ホスト・コンピュータ１０と購入者との間で代金決済１２が行われた後、画像データ１３が情報端末４０に送信される。
【００３９】
ホスト・コンピュータ１０は、画像データの購入代金と１画像当りの被写体への還元率と１画像中のその被写体への分配率に基づいて還元ポイントを演算する。例えば、還元ポイントは、画像データの購入代金と１画像当りの被写体への還元率と１画像中のその被写体への分配率との積により演算されてもよい。また、画像データの購入代金と１画像当りの被写体への還元率の積やその他により還元されるポイントが決まっている場合、ホスト・コンピュータ１０は、その還元ポイントと１画像中のその被写体への分配率に基づいて還元ポイントを演算してもよい。
【００４０】
また、ホスト・コンピュータ１０は、被写体のメールアドレスに、被写体が写っている画像の画像データが購入されたことを知らせるお知らせメールを送信する。被写体は、情報端末５０を使用して、被写体のメールアドレスに送られたお知らせメール１４を確認することができる。
【００４１】
また、被写体は、お知らせメール１４に記載されたＵＲＬまたは予め知らされているＵＲＬに基づきホスト・コンピュータ１０にアクセスし、被写体が現在所有する還元ポイントを確認することができる。さらに、被写体は必要に応じて還元ポイントの現金化をホスト・コンピュータ１０に請求する信号５１を送信することができる。
【００４２】
このように上記画像販売方法により、画像データの販売に応じて、被写体はその対価を受け取ることができる。
【００４３】
以下に、本発明の画像データを販売する画像販売方法画像販売システムについて説明する。
【００４４】
図２は、本発明における画像データを販売する画像販売システム１００の一例を示す図である。
【００４５】
画像販売システム１００は、記憶装置２００と演算装置３００と通信装置４００を備えている。
【００４６】
記憶装置２００は、画像データを記憶する画像データ記憶領域２１０と、画像データの価格を記憶する価格記憶領域２２０と、画像中の被写体への分配率を記憶する分配率記憶領域２３０と、被写体に対する還元率を記憶する還元率記憶領域２４０と、被写体に還元される還元ポイントを記憶する還元ポイント記憶領域２５０と、被写体の個人情報を記憶する個人情報記憶領域２６０を有している。
【００４７】
画像データ記憶領域２１０には、画像データが記憶される。画像データは、カメラマンがデジタルカメラにて被写体の画像を得るために被写体を撮影することにより生成される。また、カメラマンがアナログカメラを使用して被写体を撮影する場合には、現像されたネガまたは写真をデジタル処理することにより画像データが生成される。この撮影された画像データがそのまま画像データ記憶領域２１０に記憶されてもよいが、レタッチ等が行われることが好ましい。撮影された画像データからホコリや肌荒れ等を修正することにより、画像が綺麗になり画像データの商品価値があがるからである。
【００４８】
また、後述するように画像データのサイズにより画像データの価格を変える場合には、撮影された画像データまたはレタッチされた画像データについてリサイズを行い、リサイズされた画像データが画像データ記憶領域２１０に記憶される。
【００４９】
さらに、購入者が購入する画像を選択するための見本画像データが画像データ記憶領域２１０に記憶される。見本画像データの解像度は、リサイズされた画像データの解像度より低い。このため、見本画像データは、画像データよりも高速に送信することが可能となる。また、見本画像データには、画像を表示すると認識できるロゴ等が埋め込まれてもよい。
【００５０】
図３（ａ）は、画像データ記憶領域２１０のデータテーブルの一例を示す図である。撮影された画像には、１つ１つに異なった採番が割り振られる。画像データ記憶領域２１０では、１つの採番に対して、サイズの異なった複数の画像が対応し、採番とサイズにより１の画像データを特定することができる。図３（ａ）に示す例では、その採番に対して、見本、Ｓサイズ、Ｍサイズ、Ｌサイズ、およびＸＬサイズの画像データが記憶されている。なお、見本のサイズは、Ｓサイズより小さい。また、１つの採番に対して全てのサイズがそろっていなくてもよい。なお、このサイズの大きさは、画素数により決定されてもよい。
【００５１】
価格記憶領域２２０には、画像データの価格が記憶される。画像データの価格は、そのサイズにより価格が異なる。一般にサイズが大きくなるほど価格は高くなる。
【００５２】
図３（ｂ）は、価格記憶領域２２０のデータテーブルの一例を示す図である。価格記憶領域２２０では、１つの採番に対して、サイズに応じた価格が対応し、採番とサイズにより１の画像データの価格を特定することができる。図３（ｂ）に示す例では、採番に対して、Ｓサイズ、Ｍサイズ、Ｌサイズ、およびＸＬサイズの画像データの価格が記憶されている。
【００５３】
分配率記憶領域２３０には、画像中の被写体への分配率が記憶される。画像中に被写体が１体だけの場合、分配率は１００％となる。また、画像中に被写体が４体だけの場合、均等割りでは、１体に対する分配率は２５％となる。ただし、画像中に占める被写体の大きさや、被写体同士のランクによっても、その分配率は異なる。
【００５４】
図３（ｃ）は、分配率記憶領域２３０のデータテーブルの一例を示す図である。分配率記憶領域２３０では、１つの採番に対して少なくとも１つの個人番号が対応し、その個人番号に対して対応する分配率が対応し、採番に対応する画像中の各被写体の分配率を特定することができる。図３（ｃ）に示す例では、１つの採番に対して、個人番号および分配率が記憶されるが、同じ採番が複数ある場合、その１つ１つに対応する個人番号および分配率が記憶される。言い換えると、１つの画像にｎ体の被写体がある場合、ｎ個の同じ採番とｎ体の被写体に対応する個人番号が記憶され、それぞれの個人番号に対応する分配率も記憶される。例えば、採番５では被写体４体が存在し、その被写体の個人番号が０００１〜０００４であり、０００１〜０００４の分配率が２５％となる。
【００５５】
還元率記憶領域２４０には、被写体に対する還元率が記憶される。還元率は被写体によって異なる。
【００５６】
図３（ｄ）は、還元率記憶領域２４０のデータテーブルの一例を示す図である。還元率記憶領域２４０では、１つの個人番号に対して、その個人番号に対応する被写体の還元率が対応し、個人番号によりその還元率を特定することができる。図３（ｄ）に示す例では、個人番号に対応する還元率が記憶されている。
【００５７】
還元ポイント記憶領域２５０には、被写体に還元される還元ポイントが記憶される。還元ポイントとは、画像データの価格、画像データにおける分配率、被写体の還元率に基づいて計算され、画像データの売上毎に還元ポイントが加算され、還元ポイント記憶領域２５０に記憶される。また、被写体は、還元ポイントを現金に換金することができる。換金を請求すると、対応するポイントが減算され、還元ポイント記憶領域２５０に記憶される。
【００５８】
図３（ｅ）は、還元ポイント記憶領域２５０のデータテーブルの一例を示す図である。還元ポイント記憶領域２５０では、１つの個人番号に対して、その個人番号に対応する被写体の還元ポイントが対応し、個人番号によりその還元ポイントを特定することができる。図３（ｅ）に示す例では、個人番号に対応する被写体の還元ポイントが記憶されている。
【００５９】
個人情報記憶領域２６０には、被写体の個人情報が記憶される。
【００６０】
図３（ｆ）は、個人情報記憶領域２６０のデータテーブルの一例を示す図である。個人情報記憶領域２６０では、１つの個人番号に対して、個人番号に対応する被写体の氏名およびメールアドレスが対応し、個人番号に対応する被写体の氏名およびメールアドレスを特定することができる。図３（ｆ）に示す例では、個人番号に対応する氏名およびメールアドレスが記憶されている。なお、個人情報記憶領域２６０には、少なくとも、個人番号に対応するメールアドレスが記憶されていてもよい。
【００６１】
演算装置３００は、画像データが販売されると、画像データの価格、その画像中の被写体への分配率、およびその被写体の還元率に基づき還元ポイントを演算する。例えば、還元ポイントが、画像データの価格と被写体への還元率とその被写体の分配率との積により演算されてもよい。また、画像データの価格と被写体への還元率の積である還元されるポイントが決まっている場合、演算装置３００は、その決まっている還元ポイントとその被写体の分配率に基づいて還元ポイントを演算してもよい。例えば、還元ポイントが、その決まっている還元ポイントとその被写体の分配率との積により演算されてもよい。この場合、その決まっている還元ポイントは、記憶装置２００に記憶されてる。
【００６２】
さらに、演算装置３００は、演算された還元ポイントと還元ポイント記憶領域２５０に記憶されている還元ポイントとの和を演算し、その和を還元ポイント記憶領域２５０に記憶させる。また、被写体から、画像販売システム１００に還元ポイントの換金要求があると、演算装置３００は換金要求があった還元ポイントを還元ポイント記憶領域２５０に記憶されている還元ポイントから減じ、その減じた値を還元ポイント記憶領域２５０に記憶させる。
【００６３】
以下に具体的な還元ポイントの演算の一例を図４を用いて説明する。図４は、演算装置３００が行う還元ポイントの演算フローの一例を示している。
【００６４】
演算装置３００は、購入されるまたは購入された画像データに対応する採番およびサイズを受け取る（ステップＳ１００）。演算装置３００は、価格記憶領域２２０から前記採番および前記サイズに対応する価格を呼び出す（ステップＳ１１０）。この価格を呼び出すタイミングは、購入者が画像データの購入を要求するときでもよいし、被写体の還元ポイントを計算する際であってもよい。購入者が画像データの購入を要求するときに上記価格を呼び出した場合には、被写体の還元ポイントを計算する際まで、画像販売システム１００内のある記憶領域に上記価格が記憶されていてもよい。
【００６５】
また、演算装置３００は、分配率記憶領域２３０から前記採番に対応する個人番号および分配率を呼び出す（ステップＳ１２０）。分配率記憶領域２３０に同じ採番が複数記憶されている場合には、それらに対応する全ての個人番号および分配率が呼び出される。この分配率を呼び出すタイミングは、購入者が画像データの購入を要求するときでもよいし、被写体の還元ポイントを計算する際であってもよい。購入者が画像データの購入を要求するときに上記分配率を呼び出した場合には、被写体の還元ポイントを計算する際まで、画像販売システム１００内のある記憶領域に上記分配率が記憶されていてもよい。
【００６６】
次に、演算装置３００は、還元率記憶領域２４０から前記呼び出された個人番号に対応する還元率を呼び出す（ステップＳ１３０）。この還元率を呼び出すタイミングは、購入者が画像データの購入を要求するときでもよいし、被写体の還元ポイントを計算する際であってもよい。購入者が画像データの購入を要求するときに上記還元率を呼び出した場合には、被写体の還元ポイントを計算する際まで、画像販売システム１００内のある記憶領域に上記還元率が記憶されていてもよい。
【００６７】
演算装置３００は、呼び出された個人番号について、呼び出された価格、呼び出された分配率、および呼び出された還元率に基づき還元ポイントを演算する。演算装置３００は、呼び出された個人番号について、呼び出された価格、呼び出された分配率、および呼び出された還元率を掛け合わせ還元ポイントを演算してもよい（ステップＳ１４０）。
【００６８】
演算装置３００は、還元ポイント記憶領域２５０に記憶され、呼び出された個人番号に対応する還元ポイントを呼び出す（ステップＳ１５０）
演算装置３００は、呼び出された還元ポイントと演算された還元ポイントとを加算する（ステップＳ１６０）。
【００６９】
演算装置３００は、加算された還元ポイントを、呼び出された個人番号に対応する還元ポイント記憶領域２５０に記憶させる（ステップＳ１７０）。ステップＳ１００〜ステップＳ１７０を実行することにより、還元ポイントの更新が可能となる。
【００７０】
次に、通信装置４００について説明する。通信装置４００は、サーバ機能を有しており、購入者の情報端末や被写体の情報端末と通信回線を介してつながることができる。ここで、通信回線には電話回線やインターネットが含まれる。
【００７１】
購入者が情報端末を介して検索し、見本画像データを画像販売システム１００に要求すると、画像データ記憶領域２１０に記憶されている見本画像データが通信装置４００を介して、購入者の情報端末に送られ、購入者の情報端末の表示装置に見本画像データに対応する画像が表示される。
【００７２】
購入者が、画像サイズを選択し、その画像の画像データの購入を画像販売システム１００に要求すると、画像販売システム１００と購入者との間で代金決済が行われた後、演算装置は見本画像データに対応する採番と画像サイズに基づき画像データ記憶領域２１０から、対応する画像データを呼び出し、呼び出された画像データは通信装置４００を介して購入者の情報端末に送信される。
【００７３】
また、演算装置３００が販売された画像データに関係する被写体の還元ポイントを演算した後、演算装置３００は、個人情報記憶領域２６０から前記被写体に対応する氏名およびメールアドレスを読み出し、宛先に前記被写体の氏名と前記被写体に関する画像データが販売された旨が記載されたお知らせメールが通信装置４００を介して、前記被写体に対応するメールアドレスに送信される。
【００７４】
前記被写体は、前記メールアドレスに記載されたＵＲＬまたは予め決められたＵＲＬにより通信装置４００にアクセスすると、前記被写体専用のホームページを情報端末により開くことができる。前記被写体専用のホームページを開く前に、通信装置４００はパスワートを要求してもよい。被写体専用のホームページに対して第三者のアクセスを阻止するためである。前記被写体は、前記被写体専用のホームページで現在の還元ポイントを情報端末から確認することができる。図５は、情報端末に表示される確認画面の一例を示す図である。
【００７５】
なお、お知らせメールの送信は、代金決済が行われた後に送信されてもよいが、画像データ販売よる還元ポイントの更新後に行われることが好ましい。前記被写体がお知らせメールを受け取ってから前記被写体専用のホームページにアクセスするまでにタイムラグがあるが、前記被写体は確実に還元ポイントが変更されたことを確認することができるからである。
【００７６】
さらに、被写体は、前記被写体専用のホームページを操作して、換金したい還元ポイントを通信装置４００に送信すると、通信装置４００を介して換金したい還元ポイントと個人番号が演算装置３００に送られる。
【００７７】
図６は、情報端末に表示される換金画面の一例を示す図である。図６に示す例では、換金したい還元ポイントは「今回変更するコイン数」と記載され、被写体が現在所有している還元ポイントは、「現在お持ちの獲得コイン数」と記載されている。被写体は、情報端末を使用して「今回変更するコイン数」に換金したい還元ポイントを入力し、「振込依頼をする」のボタンをクリックすることにより、換金したい還元ポイントを換金することができる。
【００７８】
演算装置３００は、還元ポイント記憶領域２５０から個人番号に対応する還元ポイントを読み出し、読み出された還元ポイントから換金要求があった還元ポイントを減じ、その減じた値を還元ポイント記憶領域２５０に記憶させる。さらに、演算装置３００は、個人情報記憶領域２６０から個人番号に対応する氏名を呼び出し、換金したい還元ポイントまたは換金したい還元ポイントに対応する金額と呼び出された氏名を表示装置に表示させたり、印刷装置に印字させることができる。また、演算装置３００は、個人番号に対応する氏名および銀行口座情報が個人情報記憶領域２６０に記憶されている場合、個人番号に対応する氏名および銀行口座情報を呼び出し、換金したい還元ポイントまたは換金したい還元ポイントに対応する金額と呼び出された氏名および銀行口座情報を表示装置に表示させたり、印刷装置に印字させてもよい。
【００７９】
図７は、本発明における画像データを販売する画像販売システム５００の一例を示す図である。
【００８０】
画像販売システム５００は、記憶装置６００と演算装置７００と通信装置８００を備えている。
【００８１】
記憶装置６００は、画像データを記憶する画像データ記憶領域６１０と、画像データの価格を記憶する価格記憶領域６２０と、画像中の被写体への分配率を記憶する分配率記憶領域６３０と、被写体に対する還元率を記憶する還元率記憶領域６４０と、被写体に還元される還元ポイントを記憶する還元ポイント記憶領域６５０と、被写体の個人情報を記憶する個人情報記憶領域６６０と、画像情報記憶領域６７０を有している。
【００８２】
画像データ記憶領域６１０、価格記憶領域６２０、分配率記憶領域６３０、還元率記憶領域６４０、還元ポイント記憶領域６５０、および個人情報記憶領域６６０の構成は、画像データ記憶領域２１０、価格記憶領域２２０、分配率記憶領域２３０、還元率記憶領域２４０、還元ポイント記憶領域２５０、および個人情報記憶領域２６０の構成の構成と同じまたは略同じであるため、その説明を省略する。
【００８３】
画像情報記憶領域６７０には、画像に写っている情報が記憶される。画像販売システム５００では、撮影された画像には、１つ１つに異なった採番が割り振られており、採番に少なくとも１つの画像情報が紐付けされている。
【００８４】
画像情報は、画像の類からなっている。画像の類は、画像のカテゴリー、画像中の被写体の性別（男女等）、その被写体の人数、その被写体の年代、その画像の背景色、その被写体の表情・感情、およびその画像が表わしている場所のうちの少なくとも１つの類を含み、画像を、その少なくとも１つの類の中で分別することができる。カテゴリーの類は、背景紙、ビジネス、美容・ビューティ、生活・ライフスタイル、スポーツ・フィトネス、医療・介護、学校・教育、専門職、特集・企画、およびその他に分類されてもよい。人数の類は、１人、２人、３人および４人以上に分類されてもよい。年代の類は、赤ちゃん・ベビー、キッズ・子供、ティーン・１０代、ヤング・２０代〜３０代、ミドル・４０代〜５０代、およびシニア・６０代以上に分類されてもよい。背景色の類は、白色系、黒色系、赤色系、青色系、および黄色系等に分類されてもよい。表情・感情の類は、笑顔、リラックス、悲しい、悩み・考える、頑張る、驚く、悔しい、および辛い・苦しい等に分類されてもよい。場所の類は、室内および屋外等に分類されてもよい。ビジネスの類は、チーム、上司、同僚、ＯＬ、ビジネスマン、会議、デスクワーク、商談、受付、およびオフィスカジュアル等に分類されてもよい。美容・ビューティとしては、エステ、フェイシャルケア、ダイエット、ボディケア、メイク、サロン、およびファッション等に分類されてもよい。
【００８５】
画像情報記憶領域６７０に画像情報が記憶されているため、購入者は希望する画像を検索することができる。
【００８６】
図８は、画像情報記憶領域６７０のデータテーブルの一例を示す図である。上述した画像情報記憶領域６７０では、採番に類が直接紐付けられていたが、図８（ａ）に示す例では、採番に対して少なくとも１つのキーが紐付けられ、図８（ｂ）に示す例では、１つキーに対して１つの類が紐付けられている。ここでキーとは、画像がどの類に属するかを示す符号を意味する。
【００８７】
画像の類は、画像のカテゴリー、画像中の被写体の性別（男女等）、その被写体の人数、その被写体の年代、その画像の背景色、その被写体の表情・感情、およびその画像が表わしている場所のうちの少なくとも１つの類を含み、画像を、その少なくとも１つの類の中で分別することができる。カテゴリーの類は、背景紙、ビジネス、美容・ビューティ、生活・ライフスタイル、スポーツ・フィトネス、医療・介護、学校・教育、専門職、特集・企画、およびその他に分類されてもよい。このカテゴリーの類の１つ１つに対して、対応するキーが紐付けられている。人数の類は、１人、２人、３人および４人以上に分類されてもよい。この人数の類の１つ１つに対して、対応するキーが紐付けられている。年代の類は、赤ちゃん・ベビー、キッズ・子供、ティーン・１０代、ヤング・２０代〜３０代、ミドル・４０代〜５０代、およびシニア・６０代以上に分類されてもよい。この年代の類の１つ１つに対して、対応するキーが紐付けられている。背景色の類は、白色系、黒色系、赤色系、青色系、および黄色系等に分類されてもよい。この背景色の類の１つ１つに対して、対応するキーが紐付けられている。表情・感情の類は、笑顔、リラックス、悲しい、悩み・考える、頑張る、驚く、悔しい、および辛い・苦しい等に分類されてもよい。この表情・感情の類の１つ１つに対して、対応するキーが紐付けられている。場所の類は、室内および屋外等に分類されてもよい。この表情・感情の類の１つ１つに対して、対応するキーが紐付けられている。ビジネスの類は、チーム、上司、同僚、ＯＬ、ビジネスマン、会議、デスクワーク、商談、受付、およびオフィスカジュアル等に分類されてもよい。このビジネスの類の１つ１つに対して、対応するキーが紐付けられている。美容・ビューティとしては、エステ、フェイシャルケア、ダイエット、ボディケア、メイク、サロン、およびファッション等に分類されてもよい。この美容・ビューティの類の１つ１つに対して、対応するキーが紐付けられている。
【００８８】
以下に、本発明における画像情報の登録方法の一例を図９、１０を用いて説明する。
【００８９】
図９は、オペレータが画像情報を登録するために使用する表示装置９００に表示される画面の一例を示す図である。オペレータがキーボート等を使用し、画像情報の登録を演算装置７００に要求する。演算装置７００は、画像データ記憶領域６１０から複数の画像データを呼び出し、表示装置９００に表示させる。
【００９０】
また、呼び出される画像データは、まだ画像情報が画像データ記憶領域６１０に登録されていない画像データであってもよい。例えば、デジタルカメラ等で生成された画像データが格納されているメモリガートのような外部記憶装置を画像販売システム５００に接続し、その画像データを演算装置７００が呼び出すことがあるからである。
【００９１】
また、呼び出される画像データは、見本画像データであってもよい。購入者が見本画像データに対応する画像を見ながら画像データを購入するため、購入者と同じ目線で画像情報を入力することができるからである。
【００９２】
オペレータは、同一の類に属すると考える画像に直接タッチするまたはポインティング・デバイスでチェック９０１、９０２、９０３を入れる。これにより、オペレータは、画像情報を登録すべき画像を選択することができる。ポインティング・デバイスには、マウスが含まれる。
【００９３】
オペレータは、選択した画像に共通すると思われるタイトル９１１を入力する。入力されたタイトルは、選択された画像に対応する採番と紐付けられ、記憶装置６００に記憶される。例えば、入力されたタイトルは、選択された画像に対応する採番と紐付けられ、画像データ記憶領域６１０に記憶されてもよい。また、入力されたタイトルは、選択された画像に対応する採番と紐付けられ、価格記憶領域６２０に記憶されてもよい。また、また、入力されたタイトルは、選択された画像に対応する採番と紐付けられ、画像情報記憶領域６９０に記憶されてもよい。
【００９４】
オペレータは、選択した画像に共通すると思われるカテゴリーのチェック・ボックスに直接タッチするまたはポインティング・デバイスでチェック９２１、９２２、９２３を入れる。これにより、画像のカテゴリーを少なくとも１つ選択することができる。
【００９５】
オペレータは、選択した画像に写っている被写体、その被写体の分配率、およびその被写体の優先順位９３３を入力する。図９に示す例では、被写体をモデル名９３１として記載し、分配率を配当率９３２として記載している。さらに、図９に示す例では、予めモデル名が登録されており、登録されているモデル名からモデル名を選択することができる。
【００９６】
例えば、オペレータが個人番号とそれに対応するモデル名および氏名等を予め入力し、それらが個人番号とともに個人情報記憶領域６６０に記憶されている場合、演算装置７００は、個人情報記憶領域６６０からモデル名を呼び出し、表示装置９００に表示できるようにしてもよい。また、オペレータが、個人番号とそれに対応するモデル名および氏名等を予め入力し、モデル名が還元率と供に個人番号に紐付けられるように、還元率記憶領域６４０に記憶されている場合、還元率記憶領域６４０からモデル名を呼び出し、表示装置９００に表示できるようにしてもよい。
【００９７】
また、図９に示す例では、モデル名を入力することになっているが、モデル名の代わりに氏名が入力できるようになっていてもよい。
【００９８】
上述したように、図９に示す例では、分配率を「配当率」と記載している。画像中に被写体が１体の場合、配当率９３２は１００％となる。また、画像中に被写体が４体だけの場合、均等割りでは、１体に対する分配率は２５％となる。ただし、オペレータは、画像中に占める被写体の大きさや、被写体同士のランクにより、その分配率を異なるように設定できる。
【００９９】
図９に示す例では、オペレータは、優先順位９３３に１〜２５５の数字を入力することが可能である。画像中に被写体が複数ある場合、被写体全体の中でその被写体の順位がオペレータにより入力される。例えば、モデルＡで検索した場合、モデルＡが写っている全ての画像がヒットするが、検索者は、優先順位が低いものまでも、モデルＡが写っている画像を探し出すことを望まない場合も多くある。このため、検索者は、モデルＡが写っている画像かつ例えば優先順位１および２というような優先順位で検索を行うことができる。
【０１００】
オペレータは、選択した画像中の被写体の性別について男性または女性のチェック・ボックスに直接タッチするまたはポインティング・デバイスでチェック９４１を入れる。これにより、検索者は、検索の際、画像中の被写体の性別を選択することができる。
【０１０１】
オペレータは、選択した画像中の被写体の体数のチェック・ボックスを直接タッチするまたはポインティング・デバイスでチェック９５１を入れる。これにより、検索者は、検索の際、画像中の被写体の体数を選択することができる。図９に示す例では、チェックを入れることができる体数は、１人、２人、３人、４人以上であるが、４人以上を、例えば５人、６人、７人以上と、より細かく設定してもよい。
【０１０２】
オペレータは、選択した画像中の被写体の年代のチェック・ボックスを直接タッチするまたはポインティング・デバイスでチェック９６１、９６２を入れる。図９に示す例では、チェックを入れることができる年代は、赤ちゃん・ベビー、キッズ・子供、ティーン・１０代、ヤング・２０代〜３０代、ミドル・４０代〜５０代、およびシニア・６０代以上の少なくとも１つであるが、さらに年代を細かく分類をしてもよい。
【０１０３】
また、図９に示すように、オペレータは、隣接する２つの年代を両方選択することができる。図９において、選択された画像中の被写体は女性であるが、１０代にも２０代にも見えるからである。このように、２つの年代に股がって年代を指定することができるため、年代を細かく分類する必要性を押えることができる。
【０１０４】
オペレータは、選択した画像中の背景色のチェック・ボックスを直接タッチするまたはポインティング・デバイスでチェック９７１を入れる。これにより、検索者は、検索の際、画像の背景色を選択することができる。
【０１０５】
オペレータは、選択した画像中の被写体の表情・感情のチェック・ボックスを直接タッチするまたはポインティング・デバイスでチェック９８１、９８２を入れる。これにより、検索者は、検索の際、画像中の被写体の表情・感情を選択することができる。
【０１０６】
オペレータは、選択した画像中の場所のチェック・ボックスを直接タッチするまたはポインティング・デバイスでチェック９９１を入れる。これにより、検索者は、検索の際、画像中の場所を選択することができる。
【０１０７】
図１０は、本発明における画像情報の登録方法の一例を示す図である。
【０１０８】
演算装置７００は、画像情報記憶領域６７０の中からキーが割り当てられていない採番を読み込み（ステップＳ２００）、その採番に対応する見本画像データを表示装置９００に表示する（ステップＳ２１０）。オペレータが、その画像またはその画像周辺にあるチェック・ボックスを直接タッチまたはポインティングデバイスでチェックすることにより、演算装置７００は、タッチまたはチェックされた画像に対応する採番を認識することができる（ステップＳ２２０）。
【０１０９】
さらに、演算装置７００は、少なくとも、画像が有する画像情報を登録するための複数のチェック・ボックス、モデル名を選択するための選択領域および分配率を入力するための入力領域を表示装置９００に表示する。オペレータが、画像情報を登録するためのチェック・ボックスを直接タッチまたはポインティングデバイスでチェックすることにより、演算装置７００は、タッチまたはチェックされた画像情報の類を認識することができる（ステップＳ２３０）。
【０１１０】
演算装置７００は、記憶装置６００からモデル名およびそれに対応する個人番号を読み出し、オペレータが選択領域をタッチまたはチェックすることにより、選択領域に読み出したモデル名を表示することができる。演算装置７００は、選択領域に表示されたモデル名を認識することができる（ステップＳ２４０）。
【０１１１】
なお、モデル名の代わりに氏名が呼び出されるように、画像情報の登録方法が実行されてもよい。
【０１１２】
また、演算装置７００は、分配率を入力するための入力領域に入力された数字を分配率であると認識することができる（ステップＳ２５０）。なお、ステップＳ２１０〜ステップＳ２５０の認識の順番は問わない。
【０１１３】
オペレータが入力を終了したことを示す信号を演算装置７００に送ると、演算装置７００は、タッチまたはチェックされた画像に対応する採番と、選択領域に表示されているモデル名に対応する個人番号とに基づき、分配率記憶領域６３０に分配率を記憶させる（ステップＳ２６０）。
【０１１４】
さらに、演算装置７００が、入力を終了したことを示す信号を受け取ると、演算装置７００は、タッチまたはチェックされた画像に対応する採番と、タッチまたはチェックされた画像情報の類に対応するキーを画像情報記憶領域６７０に記憶させる（ステップＳ２７０）。なお、ステップＳ２７０は、ステップＳ２６０より先に実行されてもよい。
【０１１５】
上述した図２に示す画像販売システム１００は、画像データの売上履歴を記憶することができる。図１１は、画像データの売上履歴の記憶テーブルの一例を示している。
【０１１６】
記憶テーブルには、売上があった、売上日時、個人番号、採番、画像のサイズ、価格、分配率、還元率、および還元ポイントが記憶される。具体的には、演算装置３００は、画像データの代金決済の終了後、画像販売システム１００が内蔵する時計から日時データを呼び出す。さらに、画像データの代金決済の終了後、上述したように、画像データの価格と１画像当りの被写体への還元率と１画像中のその被写体への分配率に基づいて還元ポイントを演算し、売上日時、個人番号、採番、画像のサイズ、価格、分配率、還元率、および還元ポイントを記憶装置６００に記憶させる。
【０１１７】
同様に、図７に示す画像販売システム５００は、画像データの売上を記憶することができる。また、画像データの売上の記憶テーブルは、図１１に示すものであってもよい。
【０１１８】
また、上述した画像販売システム１００、５００では、被写体を人物として説明していたが、被写体は人物に限られない。例えば、被写体は、画像中の小物、動物、車、および場所の少なくとも１つであってもよい。
【０１１９】
例えば、撮影スタジオや高級車をレンタルすると初期費用がかさむが、画像データが販売された量および価格に応じて、撮影スタジオや高級車のレンタル代を支払うことができれば、画像販売システム１００、５００を導入するものは、初期投資を低くし、コンテンツビジネスを展開することが可能となる。
【０１２０】
また、画像中の小物や動物や車等に対して権利を主張する者が個人または法人であっても、モデルと同様に還元ポイントを受け取ることができる。この場合、権利を主張する者対する個人番号が割り振られ、権利を主張する者の電子メールアドレス等が記憶装置に登録される。
【符号の説明】
【０１２１】
１０          ホスト・コンピュータ
１１、２２    見本画像データ
１３、２１    画像データ
２０          デジタルカメラ
２１          画像データ
３０          被写体
４０、５０    情報端末
１００          画像販売システム
２００          記憶装置
３００          演算装置
４００          通信装置
【図１】
2017204149.tif 000003
【図２】
2017204149.tif 000004
【図３】
2017204149.tif 000005
【図４】
2017204149.tif 000006
【図５】
2017204149.tif 000007
【図６】
2017204149.tif 000008
【図７】
2017204149.tif 000009
【図８】
2017204149.tif 000010
【図９】
2017204149.tif 000011
【図１０】
2017204149.tif 000012
【図１１】
2017204149.tif 000013